(57)【特許請求の範囲】
【請求項１】
田面に溝を形成しながら粉粒体を供給する作溝器と、前記作溝器により形成された溝を埋め戻す覆土板とを備える水田作業装置であって、
前記作溝器の直後方に位置するように、前記作溝器の正面部、右側壁部及び左側壁部を取り囲むように外嵌して前記覆土板を前記作溝器に取り付けてある水田作業装置。
【請求項２】
前記覆土板が、前記作溝器に対して上下方向に位置変更可能に設けられる請求項１に記載の水田作業装置。
【請求項３】
前記覆土板が、弾性を備える可撓性部材で構成される請求項１又は２に記載の水田作業装置。
【請求項４】
前記覆土板の横端部に、下向きに折り曲げられた折り曲げ部を備える請求項１〜３のいずれか１項に記載の水田作業装置。
【発明の詳細な説明】
【技術分野】
【０００１】
本発明は、田面に溝を形成しながら粉粒体を供給する作溝器と、前記作溝器により形成された溝を埋め戻す覆土板とを備える水田作業装置に関するものである。
【背景技術】
【０００２】
従来の施肥装置や直播装置等の水田作業装置においては、作溝器と覆土板とはそれぞれ分離した状態で設けられている。即ち、覆土板は、装置後方に延出する支持部材を介して作溝器の後方に配置される（特許文献１の図１〜４参照）。
【先行技術文献】
【特許文献】
【０００３】
【特許文献１】特開２００２−３１５４０７号公報
【発明の概要】
【発明が解決しようとする課題】
【０００４】
上記構成の水田作業装置では、作溝器と覆土板との間に隙間があるため、田面に漂う藁屑等がその隙間に入り込んだり、覆土板の支持部材に引っ掛かりそのまま蓄積してしまう場合がある。そのため、溜まった藁屑に邪魔されて田面の泥土が適切に溝へ案内され難くなり、溝の埋め戻しに支障をきたす場合がある。
また、覆土板を配置するための支持部材が必要となるため、組み付けの簡略化やコスト削減の面で改善の余地が残されていた。
本発明の目的は、藁屑等が溜まりにくく、尚且つ組み付けやコスト的にも有利な水田作業装置を提供することにある。
【課題を解決するための手段】
【０００５】
本発明に係る第１特徴構成は、田面に溝を形成しながら粉粒体を供給する作溝器と、前記作溝器により形成された溝を埋め戻す覆土板とを備える水田作業装置であって、前記作溝器の直後方に位置するように、前記作溝器の正面部、右側壁部及び左側壁部を取り囲むように外嵌して前記覆土板を前記作溝器に取り付けてある点にある。
【０００６】
〔作用及び効果〕
本構成によれば、作溝器に覆土板を取り付けてあるため、作溝器と覆土板との間の隙間が小さい。そのため、作業中に藁屑等が覆土板に引っ掛かって蓄積する虞が少なく、田面の泥土が覆土板によって適切に溝に案内されて埋め戻される。
さらに、本構成によれば、覆土板を作溝器の後方に配置するための支持部材等を特に必要としない。そのため、部品点数が少なくて済み、組み付け作業が簡略化されると共に、コスト削減も図れる。
【０００７】
本発明に係る第２特徴構成は、前記覆土板が、前記作溝器に対して上下方向に位置変更可能に設けられる点にある。
【０００８】
〔作用及び効果〕
本構成によれば、泥土の硬軟や水の張り具合等の田面の状態に応じて、作溝器に対する覆土板の位置を上下に変更することができ、田面の状態に応じて、常に適切な量の泥土を溝に供給して埋め戻すことができる。
【０００９】
本発明に係る第３特徴構成は、前記覆土板が、弾性を備える可撓性部材で構成される点にある。
【００１０】
〔作用及び効果〕
本構成によれば、覆土板の弾性力によって埋め戻された泥土が押し圧されるため、埋め戻した後の田面がよりきれいに整地される。
【００１１】
【００１２】
【００１３】
本発明に係る第４特徴構成は、前記覆土板の横端部に、下向きに折り曲げられた折り曲げ部を備える点にある。
【００１４】
〔作用及び効果〕
本構成によれば、覆土板に備えられる折り曲げ部によって、田面の泥土が効率的に溝に案内されるため、より確実に溝が埋め戻される。
【図面の簡単な説明】
【００１５】
【図１】乗用型田植機の全体側面図
【図２】施肥装置の背面図
【図３】苗植付装置の全体側面図
【図４】作溝器付近の縦断面図
【図５】作溝器、覆土板、及び接続部の組み付け後の斜視図
【図６】作溝器、覆土板、及び接続部の組み付け後の横断面図
【図７】作溝器、覆土板、及び接続部の組み付け前の分解斜視図
【図８】田面に形成された苗植付け条と覆土板により埋め戻された溝跡とを示す平面図
【図９】別実施形態に係る作溝器、覆土板、及び接続部の組み付け後の縦断面図
【図１０】別実施形態に係る作溝器、覆土板、及び接続部の組み付け後の斜視図
【図１１】別実施形態に係る作溝器、覆土板、及び接続部の組み付け後の斜視図
【発明を実施するための形態】
【００１６】
以下に、本発明の実施形態を図１〜図８に基づいて説明する。
〔乗用型田植機の全体構成〕
図１〜図３に基づいて本発明に係る施肥装置８（水田作業装置の一例）を備える乗用型田植機について説明する。
図１には乗用型田植機の全体側面が示されている。図２には施肥装置８の背面が示されている。図３には苗植付装置１４の全体側面が示されている。
【００１７】
図１に示すように、操向操作自在な左右一対の前輪２及び左右一対の後輪３を備えた走行機体１の前部に、エンジン４及びミッションケース５を備え、走行機体１の中央部にステアリングハンドル等を装備した操縦部６と運転座席７とを設け、走行機体１の後部には施肥装置８が配置されている。
【００１８】
エンジン４の左右両側、及び操縦部６と運転座席７との間、ならびに運転座席７の左右両側には、ほぼ平坦なステップ部分を有した運転部ステップ９が設けられ、この運転部ステップ９のさらに外側でエンジン４の配設箇所と対向する箇所に予備苗のせ台１１が配設されている。運転部ステップ９の最後部に立ち上がり部を設けて、運転部ステップ９よりも高くした搭載面を備える搭載台１０が配設され、この搭載台１０に施肥装置８の肥料ホッパー１２及び肥料繰出し機構２２が搭載されている。
【００１９】
走行機体１の後方には、リンク機構１３を昇降操作自在に連結して、リンク機構１３に苗植付装置１４を装着して、乗用型田植機を構成してある。苗植付装置１４は、植付伝動ケース１５、植付伝動ケース１５の左右両側に回転駆動自在に支持される回転ケース１６、回転ケース１６の両端に配備される一対の植付爪１７、接地フロート１８、及び苗のせ台１９等によって構成してある。
【００２０】
〔施肥装置の構成〕
次に、図１〜図４に基づいて施肥装置８の構成について説明する。
図１〜図３に示すように、走行機体１の後部においてリンク機構１３が連結される機体フレーム２０の上部に、走行機体１の左右方向に沿って支持フレーム２１が固定されて、肥料繰出し機構２２が支持フレーム２１に連結されている。透明樹脂製の肥料ホッパー１２が、肥料繰り出し機構２２の上部に亘って取付けられており、透明樹脂製の蓋部１２ａが、後側の横軸芯周りに開閉自在に備えられている。これにより、肥料繰り出し機構２２及び肥料ホッパー１２が、運転座席７の後側に左右に並べて配置されている。
【００２１】
肥料繰出し機構２２は、外周に粉粒体入込み用の凹部が周方向に沿って多数形成されている図示しない繰出しロールを、漏斗部２８の上方に回転可能に配置して構成するとともに、図示しない繰り出しロールを、その繰り出しロールの軸部と一体形成された従動ギア３２と、動力が入力される駆動軸３３の駆動ギア３３ａとの咬合によって駆動回転するように構成してある。
【００２２】
図１及び図２に示すように、苗植付装置１４に動力を伝達するＰＴＯ軸３４がミッションケース５から延出され、ＰＴＯ軸３４から横向きに動力を取り出すクランク軸３５が、機体フレーム２０に固定された伝動ケース２６に枢支されている。クランク軸３５の出力が、駆動軸３３に外嵌されたワンウェイクラッチ３７に、連係ロッド３６を介して伝達されている。
【００２３】
図１及び図２に示すように、運転座席７の下側にブロア２５及びブロア２５を駆動するモータ２５Ａが支持されるとともに、ブロア２５で生起された風を各漏斗部２８に供給するためのパイプ状の送風ダクト２４を、ブロア２５から支持フレーム２１に沿う状態に横臥配置して延出配備してある。
【００２４】
図２に示すように、肥料繰り出し機構２２の下部に接続された漏斗部２８において、漏斗部２８の供給口２８ａを、シールゴム（図示せず）を介して送風ダクト２４に挿入し、固定してある。
【００２５】
以上の構造により、ＰＴＯ軸３４の動力によって苗植付装置１４の回転ケース１６が回転駆動され、一対の植付爪１７により苗のせ台１９から交互に苗が取り出され田面に植え付けられて、苗の植付作業が行われる。これと同時に、クランク軸３５の回転運動による連係ロッド３６の往復運動が、ワンウェイクラッチ３７により、駆動ギア３３ａの回転運動に変換されて、従動ギア３２を介して図示しない繰り出しロールが間欠的に回転駆動される。
【００２６】
これにより、図示しない繰り出しロールの凹部に肥料ホッパー１２から肥料が入り込み、その繰り出しロールの間欠的な回転により肥料が漏斗部２８に繰出される。そして、ブロア２５からの高圧の風が、送風ダクト２４を介して漏斗部２８に供給され、高圧の風により肥料が搬送ホース２９を通って作溝器２３に迅速に供給され、作溝器２３により田面に形成された溝に肥料が送り込まれて施肥作業が行われるのである。
【００２７】
〔作溝器の構成〕
次に、図４〜図８に基づいて作溝器２３について説明する。
図４には、作溝器２３付近の縦断面が示されている。図５には、作溝器２３、覆土板３９、及びジャバラ部材３０の組み付け後の斜視図が示されている。図６には、作溝器２３、覆土板３９、及びジャバラ部材３０の組み付け後の横断面図が示されている。図７には、作溝器２３、覆土板３９、及びジャバラ部材３０の組み付け前の分解斜視図が示されている。図８は、田面に形成された苗植付け条４１と覆土板３９により埋め戻された溝跡４２とを模式的に示す平面図である。
【００２８】
図４に示すように、側面視三角形状の硬質プラスチック製の溝切板２７が、接地フロート１８の底面に連結され、作溝器２３が溝切板２７の後部にボルト４５で連結されている。尚図１に示すように、肥料繰り出し機構２２と作溝器２３とは、漏斗部２８、搬送ホース２９（粉粒体供給用ホースの一例）、及び弾性変形可能なゴム材からなるジャバラ部材３０（接続部の一例）によって接続されている。
【００２９】
図７に示すように、作溝器２３は、溝切板２７に固定される正面部２３ａと、正面部２３ａの左右両端のそれぞれから立設する右側壁部２３ｂ及び左側壁部２３ｃによって、横断面形状略コ字状に形成されている。作溝器２３の上端付近には、右側壁部２３ｂと左側壁部２３ｃとに亘るように横断面形状略コ字状の被係止部材３８が固定されており、被係止部材３８には、覆土板３９の上下方向の位置を規定するための突起片３８ａが設けられている。
【００３０】
図５〜図７に示すように、作溝器２３には、金属製の覆土板３９と、ゴム製のジャバラ部材３０とが取り付けられている。
【００３１】
図７に示すように、覆土板３９は、上下方向に複数の貫通孔３９ａを有する係止部３９ｂと、２つのＬ字状の固定部３９ｃ，３９ｃと、作溝器２３により形成された溝を埋め戻すために田面の泥土を溝に案内する折り曲げ部３９ｆを有する案内部３９ｅとを備えており、これらが一体成形されている。
【００３２】
ジャバラ部材３０は、搬送ホース２９が外嵌される第１取り付け部３０ａと、伸縮自在なジャバラ部３０ｂと、作溝器２３の上部に外嵌する第２取り付け部３０ｃとを備えており、これらが一体成型されている。
【００３３】
作溝器２３に覆土板３９とジャバラ部材３０とを取り付ける際には、まず覆土板３９を作溝器２３の後方（被係止部材３８が設けられている側）に配置して、その係止部３９ｂに設けられている複数の貫通孔３９ａの一つを選択して被係止部材３８の突起片３８ａを挿通させると共に、２つの固定部３９ｃ，３９ｃを左右に押し広げながら、作溝器２３を取り囲むようにして固定部３９ｃ，３９ｃを作溝器２３に外嵌させる。そして、固定部３９ｃ，３９ｃの先端に設けた雌ねじ部３９ｄ，３９ｄを作溝器２３の正面部２３ａに配置して、さらにその上に固定プレート４０を配置し、２本のボルト４３を、固定プレート４０を貫通させて雌ねじ部３９ｄ，３９ｄに螺入し締結固定する。これにより、覆土板３９は作溝器２３の直後方に配置される。
【００３４】
次いで、ジャバラ部材３０に設けられている貫通孔３０ｄに、第２取り付け部３０ｃの内側から被係止部材３８の突起片３８ａを挿通させてから、第２取り付け部３０ｃを作溝器２３の上方にかぶせるようにして外嵌する。
【００３５】
上記構成の作溝器２３は、図８に示すように、中央、右側、左側の接地フロート１８ａ，１８ｂ，１８ｃのそれぞれに２つずつ設けられており、苗の植え付け作業が行われると、作溝器２３は、苗植付装置１４の植付爪１７によって植え付けられた苗植付け条４１の横側（接地フロート１８ａ，１８ｂ，１８ｃ側）に溝を形成しながら肥料等の粉粒体を田面に供給した後、覆土板３９の係止部３９ｂから斜め下に傾斜する案内部３９ｅによって田面の泥土が溝に案内されて埋め戻される（図８中の４２は、埋め戻された溝跡を示す）。
【００３６】
本構成によれば、作溝器２３に覆土板３９を取り付けてあるため、作溝器２３と覆土板３９との間の隙間が小さい。そのため、作業中に藁屑等が覆土板３９に引っ掛かって蓄積する虞が少なく、田面の泥土が覆土板３９によって適切に溝に案内されて埋め戻される。
さらに、本構成によれば、覆土板３９を作溝器２３の後方に配置するための支持部材等を特に必要としない。そのため、部品点数が少なくて済み、組み付け作業が簡略化されると共に、コスト削減も図れる。
【００３７】
また本構成においては、覆土板３９の係止部３９ｂが上下方向に複数の貫通孔３９ａを有しており、これらの貫通孔３９ａのいずれかを選択することによって、覆土板３９の作溝器２３に対する上下方向の位置を変更することができる。このため、泥土の硬軟や水の張り具合等の田面の状態に応じて、作溝器２３に対する覆土板３９の位置を上下に変更することができ、田面の状態に応じて、常に適切な量の泥土を溝に供給して埋め戻すことができる。
【００３８】
また本構成においては、覆土板３９の案内部３９ｅは、その横端部（苗植付け条４１側）に、下向きに折り曲げられた折り曲げ部３９ｆを備えると共に、その他横端部側に接地フロート１８ａ，１８ｂ，１８ｃが配置される。このため、案内部３９ｅの折り曲げ部３９ｆと、接地フロート１８ａ，１８ｂ，１８ｃの両方の作用によって、田面の泥土が効率的に溝に案内されてより確実に溝が埋め戻される。
【００３９】
〔別実施形態〕
〔１〕前述の実施形態における覆土板３９が、作溝器２３と一体成形される構成としても良い。
〔２〕前述の実施形態における折り曲げ部３９ｆを、案内部３９ｅの両側の横端部に設ける構成としても良い。
〔３〕前述の実施形態における覆土板３９が、弾性を備える可撓性部材で構成されるようにしても良い。本構成によれば、覆土板３９の弾性力によって埋め戻された泥土が押し圧されるため、埋め戻した後の田面がよりきれいに整地される。
〔４〕図９及び図１０に示されるように、前述の実施形態におけるジャバラ部材３０と覆土板３９とを弾性を備えた可撓性部材で構成して、ジャバラ部材３０に覆土板３９が一体的に形成されている構成としても良い。本構成によれば、ジャバラ部材３０と覆土板３９とが一体的に形成されるため、さらに部品点数が少なくて済み、より一層の組み付け作業の簡略化とコスト削減化が図れる。その上、本構成によれば、覆土板３９の弾性力によって埋め戻された泥土が押し圧されるため、埋め戻した後の田面がよりきれいに整地される。
〔５〕図１１に示されるように、前述の実施形態における覆土板３９が、Ｌ字状の固定部３９ｃ，３９ｃを備えず、係止部３９ｂにおける貫通孔３９ａの一つに被係止部材３８の突起片３８ａを挿通させて、ジャバラ部材３０の第２取り付け部３０ｃで押さえ付けることにより、覆土板３９を作溝器２３に固定するように構成したものであっても良い。
【産業上の利用可能性】
【００４０】
本発明は、粉粒体として肥料等を供給する施肥装置だけでなく、粉粒体として種籾等を供給する直播装置（水田作業装置に相当）に適用することも可能であり、乗用型田植機だけでなく歩行型田植機にも有用である。
【符号の説明】
【００４１】
８      施肥装置（水田作業装置）
２３    作溝器
２９    搬送ホース（粉粒体供給用ホース）
３０    ジャバラ部材（接続部）
３９    覆土板
３９ｆ  折り曲げ部
【図１】
0005486260.tif 000002
【図２】
0005486260.tif 000003
【図３】
0005486260.tif 000004
【図４】
0005486260.tif 000005
【図５】
0005486260.tif 000006
【図６】
0005486260.tif 000007
【図７】
0005486260.tif 000008
【図８】
0005486260.tif 000009
【図９】
0005486260.tif 000010
【図１０】
0005486260.tif 000011
【図１１】
0005486260.tif 000012